(57)【特許請求の範囲】
【請求項１】
冷媒を含む吸収液を加熱し、吸収液から冷媒蒸気を分離する再生器と、この再生器によって分離した冷媒蒸気を冷却して凝縮する凝縮器と、この凝縮器により生じた冷媒液を低圧下で蒸発させる蒸発器と、前記再生器により冷媒蒸気が分離された吸収液に前記蒸発器により蒸発した冷媒蒸気を吸収させる吸収器と、前記吸収器から前記再生器へ吸収液を戻すための吸収液ポンプとから吸収サイクルを形成し、熱交換により冷温水を加熱および冷却する循環サイクルを有する室外機と、
冷温水を遮断する開閉弁をそれぞれ備えた複数台数の室内空調用熱交換器を前記室外機内に配した熱交換用配管に対して並列接続可能に設け、前記熱交換用配管により加熱あるいは冷却された冷温水を冷温水ポンプにより前記室内空調用熱交換器に循環させる冷温水循環回路と、
冷房運転と暖房運転との切替えや運転の開始および停止を制御する運転制御手段とを備える空調装置であって、
前記冷温水ポンプと前記吸収液ポンプとは別々に駆動され、
冷房及び暖房運転時に前記室内空調用熱交換器の運転台数に応じて設定された前記冷温水ポンプのみの回転数を手動操作により補正する制御部を有したことを特徴とする空調装置。
【請求項２】
前記制御部は、前記冷温水ポンプの回転数を所定数毎に段階的に変化させる微調整スイッチを備えていることを特徴とする請求項１に記載の空調装置。
【発明の詳細な説明】
【０００１】
【発明の属する技術分野】
本発明は、作動流体としての冷温水を循環させて冷房及び暖房を行う空調装置に係り、冷温水ポンプの回転数を手動操作により補正できるように改良した空調装置に関する。
【０００２】
【従来の技術】
例えば、吸収サイクルを用いた吸収式空調装置では、冷房運転の際に、再生器でバーナの加熱により沸騰した低濃度吸収液から冷媒蒸気が分離され、この冷媒蒸気は凝縮器により冷却されて冷媒液となって蒸発器に供給される。再生器により冷媒蒸気が分離されて高濃度となった吸収液は、吸収器へ供給される。蒸発器は冷媒液から熱を奪って冷却源を形成し、冷温水配管内を循環する冷温水を冷却し、室内機の空調用熱交換器に循環させることにより室内の冷房を行う。吸収液は、吸収器で冷媒蒸気を吸収し、この時に発生する熱を外部に排出するために熱交換用配管が設けられていて、冷却ポンプにより駆動される冷却水によって排熱が行われる。
【０００３】
暖房運転の際に、再生器と蒸発器とを連通する吸収液流路内の冷暖切替え弁を開き、バーナにより加熱された吸収液を蒸発器内に供給することにより、蒸発器内の冷温水配管を通過する冷温水を加熱し、室内機および暖房パネルへ循環させる。
熱源となる室外機と室内機及び床暖房パネルの室内空調用熱交換器との間には、室外機で加熱あるいは冷却された冷温水を循環させるための冷温水循環回路が形成されており、冷房及び暖房運転において蒸発器内で冷却あるいは加熱された冷温水が室内機等に供給されて室内の冷房または暖房を行う。１台の室外機に対して複数の室内機及び床暖房パネル等の端末機器を設置できるマルチエアコンが商品化されている。
【０００４】
【発明が解決しようとする課題】
上記従来のものでは、室内機や床暖房パネルの端末台数を考慮して冷温水ポンプの回転数を定格的に設定し、本来の冷暖房性能を発揮できるようにしている。ところが、設置の現場では住居の形状等により施工状態や設置状態が微妙に異なり、特に配管長さが大きく屈曲箇所が多い場合は、圧力損失が大きくなり、冷房運転時の冷温水流量を十分には確保できず、僅かにも冷房不足が生じる虞がある。
【０００５】
逆に、配管長さが小さい場合は、暖房運転時の冷温水流量が多くなりすぎて制御性が低下し、所望の暖房温度を保てない不都合がある。また、流量調整バルブを絞る際に通水音が発生し、騒音が問題になる虞がある。
また、使用者の個人的な嗜好や感覚等により冷暖房状態を微妙に修正したいといった要求もある。
【０００６】
本発明は上記事情を背景になされたもので、その目的は施工状態や設置状態あるいは個人的な感覚等に応じて冷温水ポンプの回転数を簡易な操作により素早く補正でき、配管長さ等の施工条件を緩和し得るとともに、使用者の感覚や嗜好による快適性を実現でき、サービス性の向上に寄与する空調装置を提供することにある。
【０００７】
【課題を解決するための手段】
請求項１によれば、冷媒を含む吸収液を加熱し、吸収液から冷媒蒸気を分離する再生器と、この再生器によって分離した冷媒蒸気を冷却して凝縮する凝縮器と、この凝縮器により生じた冷媒液を低圧下で蒸発させる蒸発器と、前記再生器により冷媒蒸気が分離された吸収液に前記蒸発器により蒸発した冷媒蒸気を吸収させる吸収器と、前記吸収器から前記再生器へ吸収液を戻すための吸収液ポンプとから吸収サイクルを形成し、熱交換により冷温水を加熱および冷却する循環サイクルを有する室外機と、冷温水を遮断する開閉弁をそれぞれ備えた複数台数の室内空調用熱交換器を前記室外機内に配した熱交換用配管に対して並列接続可能に設け、前記熱交換用配管により加熱あるいは冷却された冷温水を冷温水ポンプにより前記室内空調用熱交換器に循環させる冷温水循環回路と、冷房運転と暖房運転との切替えや運転の開始および停止を制御する運転制御手段とを備える空調装置であって、前記冷温水ポンプと前記吸収液ポンプとは別々に駆動され、冷房及び暖房運転時に前記室内空調用熱交換器の運転台数に応じて設定された前記冷温水ポンプのみの回転数を手動操作により補正する制御部を有したことを特徴とする。
【０００８】
請求項２によれば、前記制御部は、前記冷温水ポンプの回転数を所定数毎に段階的に変化させる微調整スイッチを備えていることを特徴とする。
【０００９】
【発明の作用および効果】
〔請求項１について〕
冷房及び暖房運転時には、設置後に手動操作を行うと、制御部から指示信号が冷温水ポンプの制御部に送られ、冷温水ポンプの回転数が所望の回転数に補正される。このため、施工状態や設置状態あるいは個人的な感覚等に応じて冷温水ポンプの回転数を簡易な操作により素早く補正でき、配管長さ等の施工条件を緩和し得るとともに、使用者の嗜好による快適性を実現できる。
【００１０】
〔請求項２について〕
冷温水ポンプの回転数は、微調整スイッチを用いた手動操作により所定数毎に段階的に変化するので、冷温水ポンプの回転数を種々に微調整でき好都合である。
【００１１】
【発明の実施の形態】
本発明を吸収式空調装置に適用した一実施例について各図に基づいて説明する。図１は制御装置２００により制御される吸収式空調装置を示し、この吸収式空調装置は吸収式熱源機としての室外機１００と複数台の室内機ＲＵを備えている。この室外機１００は、熱源機本体１０１と冷却塔ＣＴとから構成されている。
【００１２】
室外機１００の熱源機本体１０１は主にステンレスにより形成され、冷媒および吸収液としての臭化リチウム水溶液の冷凍用の吸収サイクルを形成する。Ｂは加熱手段としてのガスバーナ、１は高温再生器、２は低温再生器、３は吸収器、４は蒸発器、５は凝縮器であり、吸収液内には臭化リチウムのステンレスに対する腐食を抑制するインヒビターが含まれている。
【００１３】
高温再生器１では、加熱タンク１１の内部に供給された低濃度吸収液をガスバーナＢにより加熱し、中濃度吸収液分離筒１２と吸収液仕切り容器１３との間に形成された筒状の吸収液上昇流路１４を加熱された吸収液が上昇すると、低濃度吸収液中の冷媒としての水が蒸発し、冷媒蒸気（水蒸気）として分離する。冷媒蒸気の蒸発により濃化した中濃度吸収液は、吸収液戻し板１５により内方に方向転換して吸収液仕切り容器１３内に戻される。
【００１４】
冷媒が分離されて高濃度化された中濃度吸収液は、吸収液仕切り容器１３の側部に開口した中濃度吸収液流路Ｌ１を介して低温再生器２へ供給される。分離した冷媒蒸気は、冷媒吸収タンク１０により回収されて冷媒流路Ｌ５を介して凝縮器５へ供給される。なお、吸収液仕切り容器１３の底部には、暖房運転時に加熱された吸収液を蒸発器４内へ供給するための冷暖房用吸収液流路Ｌ４の流入口が開口している。
【００１５】
冷媒吸収タンク１０内の下部内側には、冷媒仕切り筒１７が中濃度吸収液分離筒１２の外側面部に接合され、中濃度吸収液分離筒１２との間に断熱用間隙１７ａを形成している。このため、中濃度吸収液分離筒１２内の熱が遮断され、冷媒吸収タンク１０内の冷媒が吸収液上昇流路１４内の高温の吸収液により加熱されることがない。冷媒吸収タンク１０における冷媒仕切り筒１７の外側は、分離された液冷媒を貯留する冷媒貯留部１０ａとなっており、冷媒貯留部１０ａに貯留された冷媒は冷媒流路Ｌ５を介して凝縮器５へ供給される。
【００１６】
低温再生器２では、途中に熱交換器Ｈを通過する中濃度吸収液流路Ｌ１を介して供給される中濃度吸収液が低温再生器ケース２０の天井から流入し、冷媒吸収タンク１０の外壁を熱源として再加熱され、気液分離部２２により冷媒蒸気と高濃度吸収液とに分離される。冷媒蒸気は、冷媒蒸気出口２１および間隙５Ａから凝縮器ケース５０内へ供給され、高濃度吸収液は、高濃度吸収液受け部２３に貯留され、高濃度吸収液流路Ｌ２を介して吸収器３へ供給される。
【００１７】
中濃度吸収液流路Ｌ１内には、吸収液仕切り容器１３から低温再生器２へ流れる中濃度吸収液の流量を制限するためのオリフィス（図示せず）が設けられており、低温再生器２内へは中濃度吸収液分離筒１２との圧力差により中濃度吸収液が供給される。このため、低温再生器ケース２０内では約７０ｍｍＨｇ、中濃度吸収液分離筒１２内では約７００ｍｍＨｇになっている。
【００１８】
吸収器３は、蒸発・吸収ケース３０内に銅管を縦型円筒状に巻設し、内部を排熱用冷却水が流れる吸収管としてコイル状に巻かれた吸収コイル３１を有している。この吸収コイル３１の上端には、高濃度吸収液流路Ｌ２を介して低温再生器２の高濃度吸収液受け部２３から供給される高濃度吸収液が圧力差により流入し、高濃度吸収液散布具３２により散布される。このように散布された高濃度吸収液は吸収コイル３１の表面に薄膜状に付着して重力の作用で流下し、水蒸気を吸収して低濃度吸収液となる。この水蒸気を吸収する際に、吸収コイル３１の表面では発熱するが、吸収コイル３１内を循環する排熱用冷却水により冷却される。なお、高濃度吸収液に吸収される水蒸気は、後述する蒸発器４で冷媒蒸気として発生したものである。
【００１９】
吸収器３内の低濃度吸収液は、吸収液ポンプＰ１の作動により底部３３から熱交換器Ｈおよび吸収液ポンプＰ１が設けられた低濃度吸収液流路Ｌ３を介して加熱タンク１１内に戻る。また、吸収コイル３１内には、冷房運転時に冷却塔ＣＴにより冷却された排熱用冷却水が凝縮器５の冷却コイル５１内を介して循環する。
【００２０】
蒸発器４は、蒸発・吸収ケース３０内の吸収コイル３１の外周に設けた縦型円筒形で多数の連通口（図示せず）付きの仕切り板４０の外周に、内部を冷暖房用の冷温水が流れる銅管からなる縦型円筒形の蒸発コイル４１を配設し、その上方に冷媒液散布具４２を取り付けてなる。なお、蒸発器４の底部４３は、電磁式の冷暖切替え弁６を有する冷暖房用吸収液流路Ｌ４により中濃度吸収液分離筒１２内の吸収液仕切り容器１３の底部と連通している。
【００２１】
さて、冷房運転時に蒸発器４では、冷媒液散布具４２により液冷媒（水）を蒸発コイル４１の上に流下させると、流下した冷媒液は表面張力により蒸発コイル４１の表面を濡らして膜状となり、重力の作用で降下しながら低圧（例えば６．５ｍｍＨｇ）となっている蒸発・吸収ケース３０内で蒸発コイル４１から気化熱を奪って蒸発し、蒸発コイル４１内を流れる空調用の冷温水を冷却する。
【００２２】
凝縮器５における凝縮器ケース５０内には、冷媒蒸気が冷却コイル５１に冷却されて液化した冷媒液を凝縮器ケース５０の底から離れた位置で受けるための皿状の冷媒液受け部５２が設けられている。この冷媒液受け部５２は、蒸発器４の冷媒液散布具４２の上方に位置し、供給される冷媒液の自己冷却により冷媒液を冷却する冷媒冷却器５３と、冷媒液供給路Ｌ６により連通するように設けられている。
【００２３】
凝縮器５は、冷媒流量を制限するためのオリフィス（図示せず）が設けられた冷媒流路Ｌ５により冷媒吸収タンク１０の冷媒貯留部１０ａに連通するとともに、冷媒蒸気出口２１および間隙５Ａを介して低温再生器２とも連通しており、いずれも圧力差（凝縮器ケース５０内では約７０ｍｍＨｇ）により冷媒が供給される。冷房運転時に凝縮器ケース５０内に供給された冷媒蒸気は、冷却コイル５１により冷却されて液化し、冷媒液受け部５２から冷媒液供給路Ｌ６を介して冷媒冷却器５３に供給される。
【００２４】
冷媒液受け部５２から溢れ出た冷媒液は、凝縮器ケース５０の内底部により形成される冷媒液貯留部５４に貯留され、冷房運転時に冷房性能を確保すべく吸収サイクルを循環する吸収液の濃度を実質的に高く維持している。この冷媒液貯留部５４と冷媒冷却器５３とは、冷媒弁７を備えた冷媒液流路Ｌ７により連通しており、冷媒液の凍結の虞がある場合に冷媒弁７の開弁制御により冷媒液が蒸発器４に供給され、蒸発器４内の蒸気圧を高くすることにより凍結を防止している。暖房運転の開始時にも冷媒弁７は開弁され、冷房運転時に冷媒液貯留部５４内に貯留された冷媒液が全て蒸発器４内に供給され、暖房運転時に加熱されて循環する吸収液の濃度を低く維持して晶析の発生を防止している。
【００２５】
冷房運転時における吸収液は、高温再生器１→中濃度吸収液流路Ｌ１→高濃度吸収液流路Ｌ２→高濃度吸収液散布具３２→吸収器３→吸収液ポンプＰ１→低濃度吸収液流路Ｌ３→高温再生器１の順に循環する。また、冷媒は高温再生器１（冷媒蒸気）→冷媒流路Ｌ５（冷媒蒸気）または低温再生器２（冷媒蒸気）→凝縮器５（冷媒液）→冷媒液供給路Ｌ６（冷媒液）または冷媒液流路Ｌ７（冷媒液）→冷媒冷却器５３→冷媒液散布具４２（冷媒液）→蒸発器４（冷媒蒸気）→吸収器３（吸収液）→吸収液ポンプＰ１→低濃度吸収液流路Ｌ３→高温再生器１の順に循環する。
【００２６】
吸収液と熱交換する吸収器３の吸収コイル３１と凝縮器５の冷却コイル５１とは接続されて連続コイルを形成している。この連続コイルは、冷却水流路３４によって冷却塔ＣＴに接続されて冷却水循環路を形成している。この冷却水循環路において、吸収コイル３１の入口と冷却塔ＣＴとの間に存する冷却水流路３４には、冷却水を連続コイル内へ送り込む冷却水ポンプＰ２が設けられている。この冷却水ポンプＰ２の作動により、連続コイルを通過する冷却水は、吸収コイル３１で吸収熱を奪い、冷却コイル５１で凝縮熱を得て比較的高温となって冷却塔ＣＴに供給される。
【００２７】
そして、冷房運転時には、冷却水ポンプＰ２の作動により冷却塔ＣＴ内の冷却水が送風機Ｓの送風により蒸発を促がされながら、冷却塔ＣＴ→冷却水ポンプＰ２→吸収コイル３１→冷却コイル５１→冷却塔ＣＴの順で循環する。この冷却塔ＣＴでは、落下する冷却水を大気中に一部蒸発させている。このため、冷却水は大気中に熱を放し、低温度となる排熱サイクルを形成している。また、蒸発器４の蒸発コイル４１には、室内機ＲＵに設けられた空調用熱交換器４４が冷温水流路４７で連結されており、この冷温水流路４７には冷温水ポンプＰ３が設けられている。
【００２８】
各室内機ＲＵには、空調用熱交換器４４に対して室内空気を通過させて再び室内へ吹き出すためのブロワー４６が備えられている。各室内機ＲＵの空調用熱交換器４４の下流側の冷温水流路４７には、モータ駆動の開閉弁４８が備えられており、各室内機ＲＵに備えられたリモートコントローラーの操作信号に応じて運転が指示された室内機ＲＵに備えられた開閉弁４８のみが開弁駆動され、他の室内機ＲＵの開閉弁４８は閉弁された状態に止まる。また、室内機ＲＵには、空調用熱交換器４４の上流で、冷温水流路４７内の冷温水の温度を検知するための冷温水入口サーミスター４９が備えられている。そして、蒸発コイル４１内で低温度となった冷温水は、開閉弁４８が開弁駆動された室内機ＲＵについては、蒸発コイル４１→冷温水流路４７→空調用熱交換器４４→冷温水流路４７→冷温水ポンプＰ３→蒸発コイル４１の順で循環する。
【００２９】
冷暖房用吸収液流路Ｌ４および冷暖切替え弁６は暖房用に設けられたもので、暖房運転時には冷暖切替え弁６を開弁し、吸収液ポンプＰ１を作動させる。これにより、中濃度吸収液分離筒１２内の吸収液仕切り容器１３内の高温度の中濃度吸収液が蒸発器４内に流入し、中濃度吸収液の高温蒸気（冷媒蒸気）によって蒸発コイル４１内の冷温水が加熱される。加熱された蒸発コイル４１内の冷温水は、冷温水ポンプＰ３の作動により冷温水流路４７から空調用熱交換器４４へ供給され、暖房の熱源となる。蒸発器４内の中濃度吸収液は仕切り板４０の連通口から吸収器３側に入り、低濃度吸収液流路Ｌ３を経て吸収液ポンプＰ１により加熱タンク１１へ戻る。
【００３０】
以上のように構成された本実施例の吸収式空調装置では、吸収サイクルにおいて吸収液を循環させるための吸収液ポンプＰ１と蒸発コイル４１で冷却または加熱された冷温水を冷温水流路４７によって室内機ＲＵの空調用熱交換器４４へ循環させるための冷温水ポンプＰ３とは異なるモータにより別々に駆動される。
【００３１】
つぎに、吸収式空調装置を制御する制御装置２００の制御動作について説明する。制御装置２００は、ガスバーナＢの燃焼制御、吸収液ポンプＰ１、冷温水ポンプＰ３の回転制御、冷却水ポンプＰ２の回転制御、冷却塔ＣＴの送風機Ｓの回転制御、吸収サイクル内に設けられた各弁６、７の制御等により吸収式空調装置の冷房運転、暖房運転の各制御を行う。
【００３２】
また、室外機１００には、図４に示すようにマイクロコンピュータ４００が制御部として組み込まれており、操作部材としてのディップスイッチＵ、Ｖ、Ｗ、Ｘ、Ｙ、Ｚの押圧操作により補正回転数の指示信号を制御装置２００に送る。押しボタンスイッチ４０１、４０２は、後述するように操作回数により補正回転数を段階的に増減調節する。
【００３３】
この場合、冷暖房運転時に、室内機ＲＵ、すなわち室内空調用熱交換器４４の運転台数により表１のように冷温水ポンプＰ３の通常最大回転数（ｒｐｍ）およびディップスイッチＵ〜Ｚによる補正回転数（ｒｐｍ）を設定している。
この場合、ディップスイッチＵ〜Ｚによる補正回転数（ｒｐｍ）は、表１に±で示すように固定的な設定値の他に例えば１５０ｒｐｍ毎に段階的に増減することができる。このように段階的に刻む回転数は、１５０ｒｐｍに限らず１８０ｒｐｍ、２１０ｒｐｍ、２４０ｒｐｍあるいは２７０ｒｐｍなど所望に応じて任意に設定できることは勿論である。
【００３４】
【表１】
0004494624.tif 000002
【００３５】
［冷房運転］
冷房運転は、使用者により室内機ＲＵが設置された室内に存するリモートコントローラ（図示せず）の冷房運転開始の指示に応じて冷暖切替え弁６を閉弁し、吸収液ポンプＰ１および冷温水ポンプＰ３の駆動を開始し、ガスバーナＢの燃焼により行われる。
そして、リモートコントローラからの冷房運転の要求信号が送出されると、図３に示すように、室内機ＲＵの運転台数が判別され（ステップ１０）、室内機ＲＵの運転台数が１台の場合（ステップ１１においてＹＥＳ）には、冷温水ポンプＰ３の直流モータを制御するインバータを制御して（ステップ１２）、冷温水ポンプＰ３を最大でも３６００ｒｐｍの回転数で駆動して必要な揚程・流量を確保する。
この時、配管の施工、設置状態等により冷温水の流量が少なく、冷房不足あるいは使用者の個人的な嗜好や感覚等により快適性の不足を訴えられる場合がある。この場合には、図４のマイクロコンピュータ４００のディップスイッチＵが操作される。
【００３６】
すると、指示信号が制御装置２００に送られ、冷温水ポンプＰ３の回転数が３００ｒｐｍだけ一律に上昇し、インバータを制御し、冷温水ポンプＰ３を３９００ｒｐｍで駆動し、冷房不足を補うとともに使用者の快適度を満足させる。この際、３００ｒｐｍの回転数の上昇では不足する、あるいは多過ぎる場合には、押しボタンスイッチ４０１の押し回数操作により、１５０ｒｐｍづつ段階的に上昇させて回転数を増加方向に補正する。又は、押しボタンスイッチ４０２の押し回数操作により、１５０ｒｐｍづつ段階的に下降させて回転数を減少方向に補正する。
【００３７】
室内機ＲＵの運転台数が１台でない場合（ステップ１１においてＮＯ）は、室内機ＲＵの運転台数が２台であるかを判別し（ステップ１３）、室内機ＲＵの運転台数が２台の場合（ステップ１３においてＹＥＳ）は、冷温水ポンプＰ３の直流モータを制御するインバータを制御し（ステップ１４）、冷温水ポンプＰ３を最大４３５０ｒｐｍの回転数で駆動する。
この時、配管の施工、設置状態等により冷温水の流量が少なく、冷房不足あるいは使用者の個人的な嗜好や感覚等により快適性の不足を訴えられる場合がある。この場合には、マイクロコンピュータ４００のディップスイッチＶが操作される。
【００３８】
すると、指示信号が制御装置２００に送られ、冷温水ポンプＰ３の回転数が３００ｒｐｍだけ一律に上昇し、インバータを制御し、冷温水ポンプＰ３を４６５０ｒｐｍで駆動し、冷房不足を補うとともに使用者の快適度を満足させる。この際、３００ｒｐｍの回転数の上昇では不足する、あるいは多過ぎる場合には、押しボタンスイッチ４０１の押し回数操作により、１５０ｒｐｍづつ段階的に上昇させて回転数を増加方向に補正する。又は、押しボタンスイッチ４０２の押し回数操作により、１５０ｒｐｍづつ段階的に下降させて回転数を減少方向に補正する。
【００３９】
室内機ＲＵの運転台数が２台でない場合（ステップ１３においてＮＯ）は、室内機ＲＵの運転台数は３台以上であるので、冷温水ポンプＰ３の直流モータを制御するインバータを制御し（ステップ１５）、冷温水ポンプＰ３を最大４８００ｒｐｍの回転数で駆動する。
この場合は、最大の回転数に設定して十分な冷温水の流量を確保できるようにしているので、マイクロコンピュータ４００のディップスイッチＷを操作しても、回転数は変わらない。
しかしながら、この場合でも配管の施工、設置状態により冷温水の流量が少なく、冷房不足あるいは使用者の個人的な嗜好や感覚等により快適性の不足が訴えられると、マイクロコンピュータ４００のディップスイッチＷに加え、押しボタンスイッチ４０１が操作される。
【００４０】
すると、指示信号が制御装置２００に送られ、冷温水ポンプＰ３の回転数が押しボタンスイッチ４０１の操作回数に応じて１５０ｒｐｍづつ上昇し、冷温水ポンプＰ３の直流モータを制御するインバータを押しボタンスイッチ４０１の操作回数に応じた補正回転数で制御し、冷温水ポンプＰ３を補正回転数に応じた回転数（ｒｐｍ）で駆動し、冷房不足を補うとともに使用者の快適度を満足させる。
【００４１】
［暖房運転］
暖房運転は、使用者により室内機ＲＵが設置された室内に存するリモートコントローラ（図示せず）の暖房運転開始の指示に応じて冷暖切替え弁６を開弁し、吸収液ポンプＰ１および冷温水ポンプＰ３の駆動を開始し、ガスバーナＢの燃焼により行われる。なお、この吸収式空調装置では、図６に示すように、室外機１００は冷温水を床暖房パネル３００にも供給可能に構成されている。このため、制御装置２００においては、床暖房パネル３００が設置されているか否かを、床暖房パネル３００に別途設けられた床暖房パネル用リモートコントローラ（図示せず）からの操作信号の有無によって判別し、その結果に基づいて各制御を行う。
【００４２】
そして、リモートコントローラからの暖房運転の要求信号が送出されると、その信号が床暖房パネル用リモートコントローラからの床暖房運転信号であるか否かを判別し、図５に示すように、床暖房運転である場合（ステップ１６においてＹＥＳ）には、床暖房パネル３００の台数とは無関係に冷温水ポンプＰ３の直流モータを制御するインバータを制御し（ステップ１７）、冷温水ポンプＰ３を最大４８００ｒｐｍの回転数で駆動して大きな揚程・流量を確保する。
【００４３】
床暖房運転でない場合（ステップ１６においてＮＯ）は、室内機ＲＵの運転台数を判別し（ステップ１８）、室内機ＲＵの運転台数が１台の場合（ステップ１９においてＹＥＳ）は、冷温水ポンプＰ３の直流モータを制御するインバータを制御して（ステップ２０）、冷温水ポンプＰ３を最大３０００ｒｐｍの回転数で駆動する。
この場合に配管の長さが小さく冷温水の流量が多く制御性の低下、あるいは使用者の個人的な嗜好や感覚等により快適度の不足を訴えられると、マイクロコンピュータ４００のディップスイッチＸが操作される。
【００４４】
すると、指示信号が制御装置２００に送られ、冷温水ポンプＰ３の回転数が３００ｒｐｍだけ一律に下降し、インバータを制御し、冷温水ポンプＰ３を２７００ｒｐｍで駆動し、制御性を回復させるとともに使用者の快適度を満足させる。この際、３００ｒｐｍの回転数の下降では不足する、あるいは多過ぎる場合には、押しボタンスイッチ４０２の押し回数操作により、１５０ｒｐｍづつ段階的に下降させて回転数を減少方向に補正する。又は、押しボタンスイッチ４０１の押し回数操作により、１５０ｒｐｍづつ段階的に上昇させて回転数を増加方向に補正する。
【００４５】
室内機ＲＵの運転台数が１台でない場合（ステップ１９においてＮＯ）は、ステップ２１において、室内機ＲＵの運転台数が２台かを問われる。運転台数が２台の場合（ステップ２１においてＹＥＳ）には、インバータを制御して（ステップ２２）、冷温水ポンプＰ３を最大４２００ｒｐｍの回転数で駆動する。
この場合も配管の長さが小さく冷温水の流量が多く制御性の低下、あるいは使用者の個人的な嗜好や感覚等により快適度の不足を訴えられると、マイクロコンピュータ４００のディップスイッチＹが操作される。
【００４６】
すると、指示信号が制御装置２００に送られ、冷温水ポンプＰ３の回転数が３００ｒｐｍだけ一律に下降し、インバータを制御し、冷温水ポンプＰ３を３９００ｒｐｍで駆動し、制御性を回復させるとともに使用者の快適度を満足させる。この際、３００ｒｐｍの回転数の下降では不足する、あるいは多過ぎる場合には、押しボタンスイッチ４０２の押し回数操作により、１５０ｒｐｍづつ段階的に下降させて回転数を減少方向に補正する。又は、押しボタンスイッチ４０１の押し回数操作により、１５０ｒｐｍづつ段階的に上昇させて回転数を増加方向に補正する。
【００４７】
室内機ＲＵの運転台数が２台でない場合（ステップ２１においてＮＯ）は、室内機ＲＵの運転台数は３台以上であるので、冷温水ポンプＰ３の直流モータを制御するインバータを制御し（ステップ２３）、冷温水ポンプＰ３を最大４８００ｒｐｍの回転数で駆動する。
この場合も配管の長さが小さく冷温水の流量が多く制御性の低下、あるいは使用者の個人的な嗜好や感覚等により快適度の不足が訴えられると、マイクロコンピュータ４００のディップスイッチＺが操作される。
【００４８】
すると、指示信号が制御装置２００に送られ、冷温水ポンプＰ３の回転数が３００ｒｐｍだけ一律に下降し、インバータを制御し、冷温水ポンプＰ３を４５００ｒｐｍで駆動し、制御性を回復させるとともに使用者の快適度を満足させる。この際、３００ｒｐｍの回転数の下降では不足する、あるいは多すぎる場合には、押しボタンスイッチ４０２の押し回数操作により、１５０ｒｐｍづつ段階的に下降させて回転数を減少方向に補正する。又は、押しボタンスイッチ４０１の押し回数操作により、１５０ｒｐｍづつ段階的に上昇させて回転数を増加方向に補正する。
【００４９】
この暖房運転において、ガスバーナＢの燃焼量制御は、室内機ＲＵの入口部の冷温水流路４７に設けられた冷温水入口サーミスター４９に検知される冷温水温度Ｔｗに基づいて調節される。この冷温水温度Ｔｗが略６０℃になるように（３２００ｋｃａｌ／ｈ）〜（８０００ｋｃａｌ／ｈ）の間でガスバーナＢのインプットをガス比例弁によって制御する。この間、室内機ＲＵでは、室内温度に応じてブロワー４６の回転数が制御される。この場合、冷却水流路３４においては、冷却水ポンプＰ２および送風機Ｓをいずれも駆動せず、冷却水流路３４内に設けられた排水弁（図示せず）を開弁して冷却水流路３４の全ての水を排出する。
【００５０】
以上説明したとおり、本発明では冷温水ポンプＰ３の回転数が室内機ＲＵの運転台数に応じて設定されていながらも、施工状態や設置状態あるいは個人的な感覚等に応じて冷温水ポンプＰ３の回転数を簡易な操作により素早く補正でき、配管長さ等の施工条件を緩和し得るとともに、使用者の嗜好による快適性を実現できる。
【００５１】
なお、本実施例では、指示信号を発生させて送る際にディップスイッチＵ〜Ｚを使用したが、これに限らず回転数を補正する指示信号を発生させる操作部材であればよい。
【００５２】
また、本実施例では、吸収式空調装置に適用して説明したが、本発明は作動流体として冷温水を循環させて冷暖房を行う空調装置一般に適用できる。
また、上記の実施例では、室内機ＲＵに空調用熱交換器４４のみを設けたものを示したが、室内温度を低下させないで除湿運転を行うため、空調用熱交換器４４で一旦冷却した空気を加熱する加熱用熱交換器を空調用熱交換器４４と並設するようにしてもよい。
【００５３】
さらに、本実施例では、２重効用式で説明したが、１重効用式であってもよい。さらに、加熱源としては、ガスバーナの代わりに灯油バーナ、石油バーナあるいは電気ヒータを用いてもよい。
【図面の簡単な説明】
【図１】  本発明の一実施例に係る吸収式空調装置の概略的構成図である。
【図２】  本発明の一実施例に係る室外機の概略的縦断面図である。
【図３】  本発明の一実施例の制御装置における冷房運転時の冷温水ポンプ制御動作の流れ図である。
【図４】  本発明の制御部としてのマイクロコンピュータを示す概略的構成図である。
【図５】  本発明の一実施例の制御装置における暖房運転時の冷温水ポンプ制御動作の流れ図である。
【図６】  本発明の他の実施例に係る吸収式空調装置の概略的構成図である。
【符号の説明】
１  高温再生器（再生器）
２  低温再生器（再生器）
３  吸収器
４  蒸発器
５  凝縮器
６  冷暖切替え弁
４１  蒸発コイル（熱交換用配管）
４４  空調用熱交換器
４７  冷温水流路（冷温水循環回路）
５４  冷媒液貯留部
１００  室外機
１０１  熱源機本体（吸収式熱源機）
２００  制御装置（運転制御手段）
３００  床暖房パネル
４００  マイクロコンピュータ（制御部）
４０１、４０２  押しボタンスイッチ（微調整スイッチ）
Ｂ  ガスバーナ（加熱手段）
Ｌ４  冷暖房用吸収液流路
Ｐ１  吸収液ポンプ
Ｐ３  冷温水ポンプ
ＲＵ  室内機
Ｕ〜Ｚ  ディップスイッチ
【図１】
0004494624.tif 000003
【図２】
0004494624.tif 000004
【図３】
0004494624.tif 000005
【図４】
0004494624.tif 000006
【図５】
0004494624.tif 000007
【図６】
0004494624.tif 000008